(57)【要約】【課題】意匠性を損なうことが少なく、機械照合に適した形態で券種情報を入れたカードを提供する。【解決手段】カードの種類を特定する券種情報が印刷したバーコードまたは形成した凹凸でカードの側面に入っているようにした券種情報入りカード。券種情報を磁気記録部に記録した券種情報入りカード。券種情報をＯＣＲ文字で印刷した券種情報入りカード。券種情報が印刷した絵柄における特徴で表現した券種情報入りカード。券種情報を不可視インキで印刷した券種情報入りカード。券種情報をオーバーシートの内側に印刷した券種情報入りカード。【選択図】　図１
2004009657.tif 000002
【特許請求の範囲】
【請求項１】
カードの種類を特定する券種情報がカードの側面に入っていることを特徴とする券種情報入りカード。
【請求項２】
請求項１記載の券種情報入りカードにおいて、前記券種情報はバーコードを印刷した券種情報であることを特徴とする券種情報入りカード。
【請求項３】
請求項１記載の券種情報入りカードにおいて、前記券種情報は凹凸で形成した券種情報であることを特徴とする券種情報入りカード。
【請求項４】
カードの種類を特定する券種情報が磁気記録部に記録された券種情報として入っていることを特徴とする券種情報入りカード。
【請求項５】
カードの種類を特定する券種情報がＯＣＲ文字を印刷した券種情報として入っていることを特徴とする券種情報入りカード。
【請求項６】
カードの種類を特定する券種情報が印刷した絵柄における特徴で表現した券種情報として入っていることを特徴とする券種情報入りカード。
【請求項７】
請求項４〜６のいずれかに記載の券種情報入りカードにおいて、前記券種情報が不可視インキを印刷した券種情報であることを特徴とする券種情報入りカード。
【請求項８】
請求項７に記載の券種情報入りカードにおいて、前記券種情報はオーバーシートの外側から見て通常インキによる印刷面に上刷りした券種情報であることを特徴とする券種情報入りカード。
【発明の詳細な説明】
【０００１】
【発明の属する技術分野】
本発明は、クレジットカード、銀行カード、身分証明、等に供されるプラスチックカードの技術分野に属する。特に、発行情報に基づいてカードを発行するときに、カードの券種が適正なものであるか否かを検査することができるようにしたカードに関する。
【０００２】
【従来技術】
クレジットカード、銀行カード、身分証明、等のプラスチックカード（ＩＣカードを含む）については、一般的に、個人情報を書き込む発行処理の前に未記録のカードをまとめて製造／保管しておく。そして、実際に発行処理を行うときには、必要とされる券種、数量の未記録のカードを保管場所から選別して取り出すことを行なっている。発行処理は、ジョッブに応じて１枚から数万枚に達する様々な数量が想定される。その数量のカードの絵柄、記録媒体、等が所定の仕様を満足するか否かを確認するため、煩雑で厳重なチェックをした上で発行処理を行うことが必要である。
【０００３】
この所定の仕様において相違するカードを分類することができ、カードの属するその分類を「カード券種」、そのカード券種を特定するための情報を「券種情報」と呼ぶ。従来は、発行処理を行う直前にカード券種と発行情報に存在する券種情報についてマッチングと呼ばれる照合作業を行なっているが、一般的に、その作業は人手によって行われる。すなわち、絵柄の相違やカードに印刷されている番号を目視で読取りながら照合作業が行われる。
【０００４】
【発明が解決しようとする課題】
照合作業を人手によって行う以上、照合における誤りの発生を皆無とすることができない。特に、絵柄のみによって照合作業を行う場合には照合における誤りの発生率が高まる。さらに、カード表面については意匠性についての要求が高く、カード券種を認識可能は番号を印刷することが困難な場合が多い。
【０００５】
本発明はこのような課題を解決するためになされたものであり、その目的は、意匠性を損なうことが少なく、機械照合に適した形態で券種情報を入れたカードを提供することにある。
【０００６】
【課題を解決するための手段】
上記課題は下記の本発明によって解決される。すなわち、
本発明の請求項１に係る券種情報入りカードは、カードの種類を特定する券種情報がカードの側面に入っているようにしたものである。本発明によれば、側面を使用するから意匠性を損なうことが少ない。また、複数枚の重ねられたカードにおいて側面を検査することによってカードの適否を全数一括で判定することが容易である。しかも、そのことは目視検査、機械検査の別に係わりない。したがって、目視照合にも機械照合にも適した形態で券種情報を入れたカードが提供される。
【０００７】
また本発明の請求項２に係る券種情報入りカードは、請求項１に係る券種情報入りカードにおいて、前記券種情報はバーコードを印刷した券種情報であるようにしたものである。本発明によれば、意匠性を損なうことが少なく、特に機械照合において好適であり目視照合にも適合する。
【０００８】
また本発明の請求項３に係る券種情報入りカードは、請求項１に係る券種情報入りカードにおいて、前記券種情報は凹凸で形成した券種情報であるようにしあものである。本発明によれば、意匠性を損なうことが少なく、特に機械照合において好適であり目視照合にも適合する。
【０００９】
また本発明の請求項４に係る券種情報入りカードは、カードの種類を特定する券種情報が磁気記録部に記録された券種情報として入っているようにしたものである。本発明によれば、意匠性を損なうことが少なく機械照合に適合する。
【００１０】
また本発明の請求項５に係る券種情報入りカードは、カードの種類を特定する券種情報がＯＣＲ文字を印刷した券種情報として入っているようにしたものである。本発明によれば、機械照合に適合する。
【００１１】
また本発明の請求項６に係る券種情報入りカードは、カードの種類を特定する券種情報が印刷した絵柄における特徴で表現した券種情報として入っているようにしたものである。本発明によれば、意匠性を損なうことが全くなく機械照合に適合する。
【００１２】
また本発明の請求項７に係る券種情報入りカードは、請求項４〜６のいずれかに係る券種情報入りカードにおいて、前記券種情報が不可視インキを印刷した券種情報であるようにしたものである。本発明によれば、意匠性を損なうことが全くなく機械照合に適合する。
【００１３】
また本発明の請求項８に係る券種情報入りカードは、請求項７に記載の券種情報入りカードにおいて、前記券種情報はオーバーシートの外側から見て通常インキによる印刷面に上刷りした券種情報であるようにしたものである。本発明によれば、通常インキによって隠蔽されることが無く券種情報を読み取ることができる。
【００１４】
【発明の実施の形態】
次に、本発明について実施の形態を説明する。本発明の券種情報入りカードについて図１を参照して説明する。図１（Ａ）は重ねたカードを示している。カードの寸法は規格によって決められているから、図１（Ａ）に示すように、複数枚のカードは側面を揃えて重ね合わせることができる。そのように、側面を揃えて重ね合わせられたカードにおいては、一番上のカードの表面と一番下のカードの裏面を除いて、その他のカードの表裏面は隠されていて見ることができない。
【００１５】
一般のカードにおいては、カードの特徴はもっぱら表裏面の形態に依るから、カードの表裏面を見ることができないカードについてはカードの種類を判別することができない。したがって、重ねたカードにおいては、同一種類のカードだけで構成されているか否かを外見だけで判別することはできない。
【００１６】
図１（Ｂ）は、同様に重ねたカードを示すが、図１（Ａ）に示すカードとは異なっている。図１（Ｂ）に示すカードは、カードの券種情報をコード化しそのコード化した券種情報をカードの側面に入れたカードである。図１（Ｂ）に示すように、側面を揃えて重ね合わせられたカードにおいて、一番上のカードの表面と一番下のカードの裏面を除いて、その他のカードの表裏面は隠されていて見ることができない。しかし、側面に入れられたコード化した券種情報は見ることができる。
【００１７】
このようにカードの種類を特定する券種情報がカードの側面に入っているようにした券種情報入りカードでは、側面を検査することによってカードが同一種類であるか否かを全数一括で判定することができる。また、図１（Ｃ）は、券種情報がカードの側面に入っている一枚のカードを示している。図１（Ｃ）に示すように１枚のカードであっても券種情報を判別することができる。このカードの券種情報をコード化するときの方式により、目視での側面の検査を可能とすることも、機械での側面の検査を可能とすることもできる。また、側面を使用するからカードの意匠性を損なうことが少ない。
【００１８】
実施の形態の１つとして、この券種情報は、カードの側面に印刷したバーコードの券種情報であるものとする。勿論、一枚々々のカードにおけるバーコードの印刷位置は同一種類のカードにおいてはカードの端基準で同一位置とする。このバーコードの券種情報において、一枚々々のカードのときにはバーコードのバー長は１枚のカードの厚さに過ぎない。しかし側面を揃えて重ね合わせられた複数枚の同一種類のカードにおいては、そのカードの側面に現れるバーコードのバー長はその複数枚のカードの総厚に一致する。
【００１９】
したがって、一般のバーコードリーダを使用して券種情報の機械読取が十分に可能である。また、目視の場合には、バーコードを見ることができても人間であるから券種情報を判別することは一般に困難である。しかし、側面を揃えて重ね合わせられた複数枚の同一種類のカードが全て同一種類であるのか否か、または他の種類のカードが混入していないかどうかとういうことの判別は極めて容易である。すなわち、バーコードのパターンに乱れがなければ全て同一種類であり他の種類のカードが混入はないと判別することができる。逆にバーコードのパターンに乱れがあれば全てが同一種類ではなく乱れたところに他の種類のカードが混入していると判別することができる。
【００２０】
また実施の形態の１つとして、この券種情報は、カードの側面に凹凸で形成した券種情報であるものとする。この凹凸の券種情報においては、レーザスキャン方式の２次元変位センサ等を使用することにより一枚々々のカードのときであっても重ね合わせられた複数枚のカードであっても機械読取が十分に可能である。また、側面を使用するからカードの意匠性を損なうことが少ない。
【００２１】
レーザスキャン方式の２次元変位センサとは、レーザ光線により対象物体に形成したレーザスポットを、レーザ光線を走査することにより対象物体において移動し、さらにそのときのレーザスポットの軌跡を撮像してその軌跡を解析することにより対象物体の凹凸を検出するセンサである。すなわち、対象物体の１点における変位を検出する変位センサに対して、対象物体と所定の平面との交差により形成される曲線の形状を検出するようにしたセンサである。したがって、この方式の券種情報読取装置においては、カードの表面と平行しカードの側面を含む平面においてレーザー光線が走査されるようにカードとセンサとの位置設定が行われる。
【００２２】
一方、目視の場合には光線の当て方により陰影を付けるようにし凹凸が見えるようにする。凹凸を見ることができても人間であるから券種情報を判別することは一般に困難である。すなわちバーコードの場合と同様であって、側面を揃えて重ね合わせられた複数枚の同一種類のカードが全て同一種類であるのか否か、または他の種類のカードが混入していないかどうかとういうことの判別は極めて容易である。
【００２３】
また実施の形態の１つとして、カードが磁気記録部を有する磁気記録カードであるときには、この券種情報は、磁気記録部に記録された券種情報であるものとする。このときには、意匠性を損なうことが少なく機械照合に適合する。券種情報を磁気記録部に記録することは一般に行なわれていない。また、磁気記録部に記録する情報は一般に規程されており最終製品において券種情報を残すことは困難な場合が多い。しかし、本発明においては、カードを発行するため磁気記録部に個人情報等を上書き（エンコード）によって自動消去されるプリエンコードの情報としカードが磁気記録部に券種情報を記録しておく。この券種情報は、カード発行のときにそのカードの種類が適正であるかを確認するために極めて有効である。
【００２４】
また実施の形態の１つとして、この券種情報は、ＯＣＲ文字を印刷した券種情報であるものとする。このＯＣＲ文字の券種情報は、一般のＯＣＲ文字読取装置を使用して読み取ることができる。したがって、機械照合には好適である。
【００２５】
また実施の形態の１つとして、この券種情報は、印刷した絵柄における特徴で表現した券種情報であるものとする。この券種情報を読み取るためには、たとえば汎用の画像処理装置を使用する。カードに印刷された絵柄をイメージセンサカメラ等により撮像して撮像画像を得る。その撮像画像において特徴抽出を行う。たとえば、各種のカードにおける絵柄の特徴に対応する複数のテンプレートを用意しておく。その複数のテンプレートと撮像画像とのマッチング処理を行い、一致するテンプレートがあればカードの種類を特定することができる。この券種情報の形態においては、デザインにおいて不自然な券種情報だけのための文字やマークが不要であるから、意匠性を損なうことがない。また、上述のように機械照合に適合する。
【００２６】
また実施の形態の１つとして、上述の券種情報としてのバーコード、マーク、ＯＣＲ文字、絵柄、等が通常のインキではなく不可視インキを使用して印刷したものとする。不可視インキを印刷した券種情報であるから当然のことであるが意匠性を損なうことが全くない。また機械照合にも適合する。ここで不可視インキとは、すくなくとも発行後のカードにおいては通常の可視光の下では不可視とすることができるインキのことである。
【００２７】
たとえば、通常のインキは可視光の波長領域において光を吸収するインキである。これに対して不可視インキは可視光の波長領域において光を吸収せず、赤外線または紫外線の波長領域において光を吸収するインキである。
またたとえば、インキの顔料に特殊な材料を使用し特定の波長の光（たとえば紫外線）を吸収すると可視光を発光するインキである。
またたとえば、インキの顔料に特殊な材料を使用しカード発行後の所定の処理により消色することができるインキもここでは不可視インキである。
このようなインキについては、特開平５−２３８１２６号、特開平８−１５３２３３号、等において周知であるから詳細な説明は省略する。
【００２８】
また実施の形態の１つとして、券種情報入りカードにおいて、上述の券種情報としてのバーコード、マーク、ＯＣＲ文字、絵柄、等は、カードにおけるオーバーシートの内側に印刷したものとする。これにより、摩擦等による機械的な損傷、化学的な変化、等を受け難く耐久性が著しく高まる。
【００２９】
ここでカードの構造について図２を参照して説明しておく。図２（Ａ）は一般的なカードの構造の一例である。図２（Ａ）において上図はカードの表面を示しており、下図は層構成を示している。下図に示すように、カードにはコアシート２枚とオーバーシート２枚から成る４枚のシートが使用される。２枚のコアシートを貼り合わさっている。そして、印刷は貼り合せたコアシートにおける外側の面、すなわち透明なオーバーシートを貼り合わせる面に対して行なわれる。
【００３０】
図２（Ｂ）は透明インキ付カードの構造の一例である。図２（Ｂ）において上図はカードの表面を示しており、下図は層構成を示している。下図に示すように、層構成は図２（Ａ）とほとんど同じであるが、通常インキを使用する印刷と透明インキ（不可視インキ）を使用する印刷とを合わせて２回の印刷が行なわれているところが相違している。
【００３１】
コアシートの表面に対して、最初に通常インキを使用した印刷が行なわれる。その印刷が行なわれたコアシートの表面に対して、次に透明インキを使用した印刷が行なわれる。すなわち、透明インキにより印刷したバーコード、マーク、ＯＣＲ文字、絵柄、等は、通常インキによって隠蔽されることがない。したがって、上図に示すように、特定の波長の光で可視可することにより、透明なオーバーシートを通して透明インキを使用した印刷を視認、または機械読取することができる。
【００３２】
【発明の効果】
以上のとおりであるから、本発明の請求項１に係る券種情報入りカードによれば、側面を使用するから意匠性を損なうことが少なく、目視照合にも機械照合にも適した形態で券種情報を入れたカードが提供される。
また本発明の請求項２に係る券種情報入りカードによれば、側面にバーコードを印刷したから、意匠性を損なうことが少なく、特に機械照合において好適であり目視照合にも適合する。
また本発明の請求項３に係る券種情報入りカードによれば、側面に凹凸を形成したから、意匠性を損なうことが少なく、特に機械照合において好適であり目視照合にも適合する。
また本発明の請求項４に係る券種情報入りカードによれば、券種情報が磁気記録部に記録されるから、意匠性を損なうことが少なく機械照合に適合する。
また本発明の請求項５に係る券種情報入りカードによれば、券種情報がＯＣＲ文字で印刷されるから、機械照合に適合する。
また本発明の請求項６に係る券種情報入りカードによれば、印刷した絵柄における特徴で表現した券種情報であるから、意匠性を損なうことが全くなく機械照合に適合する。
また本発明の請求項７に係る券種情報入りカードによれば、不可視インキを印刷した券種情報であるから、意匠性を損なうことが全くなく機械照合に適合する。
また本発明の請求項８に係る券種情報入りカードによれば、通常インキによって隠蔽されることが無く券種情報を読み取ることができる。
【図面の簡単な説明】
【図１】図１（Ａ）は重ねたカードを示し、図１（Ｂ）は券種情報をカードの側面に入れたカードの重ねた状態を示し、図１（Ｃ）は券種情報がカードの側面に入っている一枚のカードを示す図である。
【図２】図２（Ａ）は一般的なカードの構造の一例を示し、図２（Ｂ）は透明インキ付カードの構造の一例を示す図である。
【図１】
2004009657.tif 000003
【図２】
2004009657.tif 000004